(57)【特許請求の範囲】
【請求項１】
次亜塩素酸アルカリ金属塩と、アミンオキサイドと、Ｄｉｒｅｃｔ Ｙｅｌｌｏｗ １２、Ｄｉｒｅｃｔ Ｙｅｌｌｏｗ ２８、Ｄｉｒｅｃｔ Ｙｅｌｌｏｗ ９６、Ｄｉｒｅｃｔ Ｏｒａｎｇｅ ３９、Ａｃｉｄ Ｙｅｌｌｏｗ ３８、Ａｃｉｄ Ｙｅｌｌｏｗ １０４、Ａｃｉｄ ｙｅｌｌｏｗ ２１９、Ａｃｉｄ Ｏｒａｎｇｅ ６７、Ａｃｉｄ Ｏｒａｎｇｅ ８７、Ａｃｉｄ Ｇｒｅｅｎ ２８、及びＲｅａｃｔｉｖｅ Ｙｅｌｌｏｗ ７５からなる群から選ばれる１種以上の着色剤０．０００５〜０．１質量％と、を含有する液体漂白剤組成物であって、該組成物は対象面に塗布または噴霧された後、経時により色調が変化するインジケーター機能を有することを特徴とする液体漂白剤組成物。
【請求項２】
該組成物により形成される厚さ０．１μｍ〜２ｍｍの液膜の極大吸収波長における吸光度が、１時間経過後、初期値に対して７５％以下になることを特徴とする請求項１に記載の液体漂白剤組成物。
【請求項３】
さらに苛性アルカリを含む請求項１または２に記載の液体漂白剤組成物。
【請求項４】
さらに、脂肪酸のアルカリ金属塩とアルキルベンゼンスルホン酸塩を含むことを特徴とする請求項１〜３のいずれか一項に記載の液体漂白剤組成物。
【発明の詳細な説明】
【０００１】
【発明の属する技術分野】
本発明は液体漂白剤組成物に関し、更に詳しくは、漂白対象面に内容物を塗布または噴霧した際に、使用直後は適用部位を明確に判別するための視認性を有し、かつ経時で色調が変化することにより漂白の過程及び終了を知らせるインジケーター機能を敷設した新規な液体漂白剤組成物に関する。
【０００２】
【従来の技術及び発明が解決しようとする課題】
従来、住居廻りにおける浴室、浴槽、台所等のタイル、目地、プラスチックス、陶器、排水管等の水を頻繁に使用する箇所の汚れは、カビに起因する有機物によるものが多く、界面活性剤を主成分とする通常の洗浄剤ではなかなか除去することが出来ないため、これらの汚れを除去するには、次亜塩素酸アルカリ金属塩を主基剤とする漂白洗浄剤が多用されている。
【０００３】
その際、漂白洗浄剤の適用部位を明確にするために、内容物を着色することが行われているが、次亜塩素酸アルカリ金属塩を主基剤とする漂白洗浄剤は強い酸化力を有することから、保存中に着色剤が経時的に退色しやすいため、着色剤の選定は極めて重要となる。特に、高温状態の続く夏場においては退色が激しく進行することから、満足のいく着色性を維持することは困難であった（例えば特開昭５３−１２４１８２、５４−８８８８９、６１−２８７９９６、６２−８１５００号公報）。
【０００４】
この点を改良するために、ラテックス粒子（特開昭５７−２１２２６０、６０−１８５９７号公報）やフタロシアニン系を中心とした顔料（例えば特開昭６１−２６４０９８、特開平５−３２０６９７、７−３３１２９４、９−３１６４９４号公報）が開示されている。これらは確かに保存中の退色防止効果という点では優れているが、該着色剤を含有した漂白洗浄剤を目地などの適用部位に塗布した場合に、被洗物が該着色剤によって染着され、容易には除去できなくなるという欠点があった。また、漂白の過程及び終点が視認しにくいという重大な欠点を有していた。
【０００５】
【課題を解決するための手段】
本発明者らは、上記課題を解決すべく鋭意検討を行った結果、次亜塩素酸アルカリ金属塩と、アミンオキサイドと、Ｄｉｒｅｃｔ Ｙｅｌｌｏｗ １２、Ｄｉｒｅｃｔ Ｙｅｌｌｏｗ ２８、Ｄｉｒｅｃｔ Ｙｅｌｌｏｗ ９６、Ｄｉｒｅｃｔ Ｏｒａｎｇｅ ３９、Ａｃｉｄ Ｙｅｌｌｏｗ ３８、Ａｃｉｄ Ｙｅｌｌｏｗ １０４、Ａｃｉｄ ｙｅｌｌｏｗ ２１９、Ａｃｉｄ Ｏｒａｎｇｅ ６７、Ａｃｉｄ Ｏｒａｎｇｅ ８７、Ａｃｉｄ Ｇｒｅｅｎ ２８、及びＲｅａｃｔｉｖｅ Ｙｅｌｌｏｗ ７５からなる群から選ばれる１種以上の着色剤０．０００５〜０．１質量％と、を含有し、かつ対象面に塗布または噴霧された後、経時により色調が変化する液体漂白剤組成物を調整することで、使用中の適用部位を明確に判別できると共に、使用者が漂白の過程及び終点を容易に視認し得ることを見出し、本発明を完成するに至った。すなわち、本発明によれば、次亜塩素酸アルカリ金属塩と、アミンオキサイドと、Ｄｉｒｅｃｔ Ｙｅｌｌｏｗ １２、Ｄｉｒｅｃｔ Ｙｅｌｌｏｗ ２８、Ｄｉｒｅｃｔ Ｙｅｌｌｏｗ ９６、Ｄｉｒｅｃｔ Ｏｒａｎｇｅ ３９、Ａｃｉｄ Ｙｅｌｌｏｗ ３８、Ａｃｉｄ Ｙｅｌｌｏｗ １０４、Ａｃｉｄ ｙｅｌｌｏｗ ２１９、Ａｃｉｄ Ｏｒａｎｇｅ ６７、Ａｃｉｄ Ｏｒａｎｇｅ ８７、Ａｃｉｄ Ｇｒｅｅｎ ２８、及びＲｅａｃｔｉｖｅ Ｙｅｌｌｏｗ ７５からなる群から選ばれる１種以上の着色剤０．０００５〜０．１質量％と、を含有する液体漂白剤組成物であって、該組成物は対象面に塗布または噴霧された後、経時により色調が変化するインジケーター機能を有することを特徴とする液体漂白剤組成物が提供される。
【０００６】
【発明の実施の形態】
以下、本発明の実施の形態を詳細に説明する。
本発明の液体漂白剤組成物には、漂白基剤として、次亜塩素酸アルカリ金属塩が必須成分として含有される。次亜塩素酸アルカリ金属塩としては、次亜塩素酸ナトリウム、次亜塩素酸カリウム等が挙げられ、特に次亜塩素酸ナトリウムが好ましい。
液体漂白剤組成物中における次亜塩素酸アルカリ金属塩の含有量は、通常０．１〜１０質量％、好ましくは１〜５質量％の範囲である。含有量が０．１質量％未満になると漂白力が不足し、また、１０質量％を越えても漂白力は特に向上しない。
【０００７】
本発明の液体漂白剤組成物には、上記の次亜塩素酸アルカリ金属塩を安定化させるために、通常、アルカリ剤が含有される。アルカリ剤としては、特に制限されないが、苛性アルカリや珪酸塩等が挙げられる。苛性アルカリとしては水酸化ナトリウム、水酸化カリウム等が、珪酸塩としてはメタ珪酸ナトリウム等が挙げられる。これらのうち、水酸化ナトリウムが好ましい。
液体漂白剤組成物中におけるアルカリ剤の含有量は、通常０．１〜５質量％、好ましくは０．５〜３質量％の範囲である。含有量が０．１質量％未満になると経時による安定性が劣化し、５質量％を越えると皮膚や眼の粘膜に対する影響が考えられ、配合による効果が発揮できない。
【０００８】
本発明の液体漂白剤組成物には、汚れ対象物質への浸透性を向上させる目的で、界面活性剤を含有することが好ましい。界面活性剤としては、特に制限されないが、陰イオン界面活性剤、非イオン界面活性剤、両性界面活性剤、陽イオン界面活性剤等の洗浄用途として一般に用いられる界面活性剤を１種または２種以上を混合して使用できる。この中で、（ａ）脂肪酸のアルカリ金属塩、（ｂ）アミンオキサイド、（ｃ）アルキルベンゼンスルホン酸塩から選ばれる少なくとも１種を使用することが好ましく、また、（ａ）〜（ｃ）成分を含む界面活性剤混合物として使用することが最も好ましい。そして、本発明においては、（ｂ）アミンオキサイドを必須成分とする。液体漂白剤組成物中における界面活性剤の含有量は、通常０．１〜５質量％、好ましくは０．５〜３質量％の範囲である。含有量が０．１質量％未満になると満足する浸透性が得られず、また、５質量％を越えると経時による安定性が劣化するので好ましくない。
【０００９】
上記の好ましい界面活性剤、及び界面活性剤混合物について、更に詳細に説明する。
（ａ）成分である脂肪酸のアルカリ金属塩としては、特に制限されないが、炭素数が８〜２０の直鎖または分岐鎖の不飽和を含む脂肪酸のアルカリ金属塩が好適である。適当な不飽和を含む脂肪酸のアルカリ金属塩としては、例えば、平均約１２個の炭素を含むヤシ脂肪酸（ヤシ油に由来）、平均約１８個の炭素原子を含む獣脂脂肪酸（獣脂類脂肪に由来）、オレイン酸、リノール酸等のナトリウム塩、カリウム塩などが挙げられる。これら不飽和脂肪酸のアルカリ金属塩は、単独で使用してもよいが、例えば、オレイン酸、リノール酸等の不飽和脂肪酸とラウリン酸、ミリスチン酸、パルミチン酸、ステアリン酸等の飽和脂肪酸との混合物のナトリウム塩、カリウム塩などを使用してもよい。この不飽和脂肪酸塩の割合は、（ａ）成分中に２質量％以上、特に７質量％以上であることが好ましい。
本発明の液体漂白剤組成物中における（ａ）成分の含有量は、組成物全体の０．０１〜３質量％、好ましくは０．１〜２質量％の範囲である。（ａ）成分の含有量が３質量％を越えると系の安定性が劣化する。
【００１０】
（ｂ）成分のアミンオキサイドとしては、特に制限されないが、第三級アミンオキサイドであることが好ましく、一般式Ｒ１Ｒ２Ｒ３Ｎ→Ｏで表される第三級アミンオキサイドであることが更に好ましい。前記一般式において、Ｒ１の炭素数８〜２０のアルキル基としては、例えば、オクチル基、デシル基、ドデシル基、テトラデシル基、ヘキサデシル基、及び天然物から誘導された炭素数の異なるアルキル基の混合物等が挙げられる。これらの中では、ドデシル基、ヤシ油由来のアルキル基が好ましい。Ｒ２、Ｒ３は炭素数１〜３のアルキル基であり、メチル基、エチル基、プロピル基等が挙げられるが、好ましくはメチル基である。第三級アミンオキサイドの具体的な例としては、ヤシジメチルアミンオキサイド、ラウリルジメチルアミンオキサイド等が挙げられる。
本発明の液体漂白剤組成物中における（ｂ）成分の含有量は、組成物全体の０．０１〜５質量％、好ましくは０．１〜３質量％の範囲である。（ｂ）成分の含有量が５質量％を越えると経時による次亜塩素酸アルカリ金属塩の安定性が劣化する。
【００１１】
（ｃ）成分のアルキルベンゼンスルホン酸塩としては、特に制限されないが、ベンゼン環に置換するアルキル基の炭素数が８〜２０、好ましくは１２〜１４であり、しかも直鎖状のものが好適である。
本発明の液体漂白剤組成物中における（ｃ）成分の含有量は、組成物全体の０．０１〜０．５質量％、好ましくは０．０５〜０．３質量％の範囲である。（ｃ）成分の含有量が０．５質量％を越えると系の安定性が劣化する。
【００１２】
本発明の液体漂白剤組成物には、使用直後の適用部位が明確になるように、必須成分として特定の着色剤を含有する。特定の着色剤は、保存中に退色することがなく、かつ対象物に塗布または噴霧された後に色調が変化するものであり、漂白種の濃度に官能的な酸化分解性染料である。直接染料、酸性染料に含まれる特定のものが好ましく、具体的には以下のものを用いる。
【００１３】
すなわち、本発明においては、Ｄｉｒｅｃｔ Ｙｅｌｌｏｗ １２、Ｄｉｒｅｃｔ Ｙｅｌｌｏｗ ２８、Ｄｉｒｅｃｔ Ｙｅｌｌｏｗ ９６、Ｄｉｒｅｃｔ Ｏｒａｎｇｅ ３９、Ａｃｉｄ Ｙｅｌｌｏｗ ３８、Ａｃｉｄ Ｙｅｌｌｏｗ １０４、Ａｃｉｄ ｙｅｌｌｏｗ ２１９、Ａｃｉｄ Ｏｒａｎｇｅ ６７、Ａｃｉｄ Ｏｒａｎｇｅ ８７、Ａｃｉｄ Ｇｒｅｅｎ ２８、及びＲｅａｃｔｉｖｅ Ｙｅｌｌｏｗ ７５から選ばれる１種以上の着色剤を用いる。
【００１４】
本発明においては、着色剤として上記の合成染料を用いることが好ましく、顔料等を用いた場合は色調の変化が起こらないことからインジケーター機能を発揮しないばかりでなく、液体漂白剤を塗布または噴霧した部位の材質、例えば目地、タイル、ホーロー、及びポリエチレンやポリプロピレン等の高分子材料等の内部に徐々に侵入し、繰り返して使用するうちに染着するので好ましくない。
【００１５】
本発明の液体漂白剤組成物中における着色剤の含有量は、通常０．０００５〜０．１質量％、好ましくは０．００１〜０．０５質量％の範囲である。含有量が０．０００５質量％未満になると適用部位の視認性を明確にする目的が果たされず、０．１質量％を越えても配合による効果が期待できず、また審美的に好ましくない。
ベンゼン環に置換するアルキル基の炭素数が８〜２０、好ましくは１２〜１４であり、しかも直鎖状のものが好適である。
本発明の液体漂白剤組成物中における（ｃ）成分の含有量は、組成物全体の０．０１〜０．５質量％、好ましくは０．０５〜０．３質量％の範囲である。（ｃ）成分の含有量が０．５質量％を越えると系の安定性が劣化する。
【００１６】
漂白種の濃度に官能的な酸化分解性染料、例えば、上記の合成染料を使用した場合に、経時で色調が変化するのは以下の作用による。
本発明の液体漂白剤組成物は、流通過程や家庭において保管している間、すなわち、前記アルカリ剤によって漂白活性種（次亜塩素酸）の効果が低い間は着色剤に何ら変化は無く安定であるが、漂白洗浄時に内容物を塗布或いは吐出容器等より吐出した際に、空気中の炭酸ガスを吸収することにより組成物のｐＨが低下し、それに伴って次亜塩素酸アルカリ金属塩の漂白活性種による酸化作用が著しく発現されることで着色剤が分解・退色（脱色）するものと考えられる。
従って、汚れ対象物質への漂白に伴って着色剤は退色（脱色）していくため、使用者は漂白過程及びその終点を容易に視認できることになる。
【００１７】
本発明の液体漂白剤組成物には、その他の任意成分を必要に応じて添加することができる。具体的には、洗浄性能を向上させるビルダーとして、トルエンスルホン酸塩、キシレンスルホン酸塩等の芳香族スルホン酸塩、溶剤、香料等の成分を本発明の効果を妨げない範囲で配合することが可能である。
【００１８】
本発明の液体漂白剤組成物は、上記の必須成分及びそれ以外の任意成分にバランス量の水を加えて、通常の方法で調整することができるが、組成物の粘度は、２５℃におけるＢ型粘度計による測定値が３０〜２００ｍＰａ・ｓ、特に１００〜１５０ｍＰａ・ｓの範囲であることが望ましい。粘度が低すぎると付着滞留性に劣る場合があり、高すぎると使用性に劣る場合がある。また、ｐＨは通常１０〜１４、特に１２〜１３に調整される。
【００１９】
上記成分により調整された本発明の液体漂白剤組成物は、塗布或いは吐出容器等により吐出された液膜の厚さ０．１μｍ〜２ｍｍ、好ましくは１０μｍ〜１ｍｍの範囲で測定した極大吸収波長における吸光度が、１時間経過後に初期値に対して７５％以下、好ましくは５０％以下、更に好ましくは２５％以下になる必要がある。吸光度が７５％を越える場合、目視的に色調の変化は殆ど感じられなくインジケーターとしての機能を発揮しにくいので好ましくない。
【００２０】
更に、本発明の液体漂白剤組成物中における塩素イオンの含有量は、塩化ナトリウムモル濃度換算で次亜塩素酸アルカリ金属塩のモル濃度に対して１．２倍以下であることが好ましく、１．０倍以下であることが更に好ましい。塩素イオンの含有量が塩化ナトリウムモル濃度換算で次亜塩素酸アルカリ金属塩のモル濃度に対して１．２倍を越えると上記着色剤が保存或いは保管中に退色しやすく、また、次亜塩素酸アルカリ金属塩の安定性が悪くなるので好ましくない。
【００２１】
塩素イオンの含有量を塩化ナトリウムモル濃度換算で次亜塩素酸アルカリ金属塩のモル濃度に対して１．２倍以下にするためには、原料の次亜塩素酸アルカリ金属塩溶液中に存在する塩化ナトリウムの含有量を調整することが好ましい。例えば、水酸化ナトリウム溶液に塩素ガスを吸収させて次亜塩素酸ナトリウム溶液を製造する際に、生成する次亜塩素酸ナトリウムの濃度を各種設定することにより、塩化ナトリウムの含有量を調整することができる。また、生成した次亜塩素酸ナトリウム溶液を遠心分離機で分離することにより塩化ナトリウムの含有量を調整することもできる。
【００２２】
本発明の液体漂白剤組成物は、容器より直接用いたり、ハケ等を用いて塗布することもできるが、トリガー式スプレーヤー等の吐出装置を備えた吐出容器を用いることが簡便性の点で好ましい。このような吐出容器としては、容器内に収容した上記の液体漂白剤組成物を吐出する吐出装置を備えたものであって、該吐出装置にピストン・シリンダー等の摺動部あるいはポンプハウジングに対する通液体等の嵌合部を有するものであれば特に制限なく使用される。
【００２３】
具体的な例としては、図１に示したような吐出容器１、即ち容器本体２内に収納された組成物をトリガー３を引いてピストン４・シリンダー５を作動させることにより吐出させるトリガー式スプレーヤー６を備えた吐出容器１、及びポンプヘッドを上下動させて容器本体内に収納された組成物をディップチューブを通じて吐出するポンプスプレーヤー等を吐出装置として備えた吐出容器が使用される。
【００２４】
本発明において、上記のようなトリガー式スプレーヤー等の吐出装置を備えた吐出容器を用いる場合、組成物がトリガー式スプレーヤー等の吐出装置から噴霧する際の高剪断速度域では低い粘性を有し、壁面等に付着した際の低剪断速度域（静置）では高い粘性を有することが好ましい。具体的には、２５℃におけるＨａａｋｅ  ＲＳ−１００粘度計で測定した粘度が、３０００ｓｅｃ−１の高剪断速度域では０．１〜１００ｍＰａ・ｓ、好ましくは１〜５０ｍＰａ・ｓ、更に好ましくは１〜１０ｍＰａ・ｓであり、０．５ｓｅｃ−１の低剪断速度域（静置）では１００〜１×１０５ｍＰａ・ｓ、好ましくは５×１０２〜１×１０５ｍＰａ・ｓ、更に好ましくは１×１０３〜１×１０５ｍＰａ・ｓであることが望ましい。３０００ｓｅｃ−１の高剪断速度域における粘度が上記値よりも高くなると、トリガー式スプレーヤー等の吐出装置から組成物を噴霧し難くなるので好ましくない。また、０．５ｓｅｃ−１の低剪断速度域（静置）における粘度が上記値よりも低くなると、壁面等における付着滞留性が低下し、また、上記値よりも高くなると前述のトリガー式スプレーヤー等の吐出装置におけるディップチューブから組成物を連続的にくみ上げることができにくくなる。
【００２５】
【発明の効果】
本発明によれば、漂白対象面に内容物を塗布または噴霧した直後は適用部位を明確に判別するための視認性を発揮し、徐々に色調が変化することにより漂白過程及び終了を知らせるインジケーター機能を有するため、濯ぎの目安が非常に解り易くなる。また、本発明の組成物は、夏場等の過酷な条件下で長期間保存した場合でも着色剤が退色することがなく、漂白基剤である次亜塩素酸アルカリ金属塩の安定性も良好であることから常に優れた漂白力が得られる。更に、着色された内容液が被洗浄面に染着することがないため、安心して掃除ができるものである。従って、浴室、台所、トイレなどの硬質表面に好適に使用される。
【００２６】
【実施例】
以下、実施例により本発明を更に詳細に説明するが、本発明はこれらの実施例によって制限されるものではない。
【００２７】
【実施例１】
表１、表２に示す組成の各種漂白洗浄剤を調整し、インジケーター機能、染着性、保存安定性、及び漂白力を下記の基準に基づいて評価した。得られた結果を表１、表２に示した。なお、着色剤１としてＣｉｂａｆｉｘ Ｏｒａｎｇｅ Ｅ−２Ｙ（チハ゛・スヘ゜シャリティ・ケミカルス゛製）（参考例）、着色剤２としてＮｅｏｌａｎ Ｙｅｌｌｏｗ ＲＥ ２５０％（チハ゛・スヘ゜シャリティ・ケミカルス゛製）、着色剤３としてＴｅｃｔｉｌｏｎ Ｙｅｌｌｏｗ ４Ｒ ２００％（チハ゛・スヘ゜シャリティ・ケミカルス゛製）、着色剤４としてＳｕｍｉｌｉｇｈｔ Ｓｕｐｒａ Ｙｅｌｌｏｗ ＢＣ ｃｏｎｃ（住化染料テック製）、着色剤５としてＣｈｒｙｓｏｐｈｅｎｉｎｅ（住化染料テック製）、着色剤６としてＳｕｍｉｎｏｌ Ｍｉｌｌｉｎｇ Ｙｅｌｌｏｗ Ｏ（住化染料テック製）、着色剤７としてＫａｙａｆｅｃｔ Ｏｒａｎｇｅ Ｇ（日本化薬製）、着色剤８としてＫａｙａｆｅｃｔ Ｙｅｌｌｏｗ Ｓ（日本化薬製）、着色剤９としてＰｉｇｍｏｓｏｌ Ｇｒｉｎ８９３０（ＢＡＳＦ製）を用いた。また、界面活性剤としてはヤシジメチルアミンオキサイド０．５５質量％、ヤシ脂肪酸石鹸０．４５質量％、ドデシルベンゼンスルホン酸塩０．１５質量％の混合物を用いた。
【００２８】
〈インジケーター機能の評価法〉
シャーレ（直径２０ｃｍ）に各種液体漂白剤組成物を１５ｇ入れ、均一に伸ばした後１時間放置した。これらの試料を石英標準セル（日本石英硝子製）に入れ、予め測定しておいた極大吸収波長における吸光度を分光光度計（日立製作所製：Ｕ−１０００形レシオヒ゛ーム）を用いて測定した。この値を初期（放置前）の組成物の吸光度に対する比率として求めた。
【００２９】
〈染着性の評価法〉
各種液体漂白剤組成物１００ｇ中に２．５×２．５ｃｍにカットした素焼きタイル（ＩＮＡＸ製：ＳＰＫＣ−１０６０）を２４時間浸漬させ、十分に水洗後、風乾して色の染まり具合を肉眼で観察し、下記の評価基準に従って判定した。
【００３０】
評価基準；
○：全く染着されていない
△：やや染着されている
×：かなり染着されている
【００３１】
〈保存安定性の評価法〉
各種液体漂白剤組成物９０ｇをポリエチレンテレフタレート製の透明容器（竹本容器製：ＪＯＹ−１２０）に充填し蓋をして、４０℃の恒温槽（タバイエスペック製：プラチナスＰＵ−４ＳＰ）に１ヵ月入れた後、色の変化を肉眼で観察し、下記の評価基準に従って判定した。また、１ヵ月保存後の各種液体漂白剤組成物中における次亜塩素酸アルカリ金属塩の濃度を全自動滴定装置（平沼産業社製：ＴＳ−９８０）を用い、ヨウ化カリウム及び酢酸と反応させたサンプルをチオ硫酸ナトリウム溶液にて滴定した。この濃度を初発濃度に対する次亜塩素酸アルカリ金属塩の残存率とし、下記の評価基準に従って判定した。
【００３２】
評価基準；
○：色の変化なし
△：やや退色している
×：脱色している
【００３３】
評価基準；
○：次亜塩素酸アルカリ金属塩の残存率６０〜１００％
△：次亜塩素酸アルカリ金属塩の残存率３０〜  ６０％
×：次亜塩素酸アルカリ金属塩の残存率  ０〜  ３０％
【００３４】
〈漂白力の測定法〉
黒カビ（Ｃｌａｄｏｓｐｏｒｉｕｍ  ｃｌａｄｏｓｐｏｒｉｏｉｄｅｓ）を培養し、被着させた素焼きタイル（ＩＮＡＸ製：ＳＰＫＣ−１０６０）をモデルプレートとして用いた。（素焼きタイルのＬ値を１００として計算したときのモデルカビプレートのＬ値＝３０〜４０）。このモデルカビプレートを水平に置き、経時安定性の評価法で用いた１ヵ月保存後の各種漂白剤組成物０．５ｇをプレートに滴下した。１５分間放置し、水洗、風乾した後、色彩色差計（ＭＩＮＯＬＴＡ製；ＣＲ−２００）を用いて明度（Ｌ値）を測定した。
【００３５】
【表１】
0004030704.tif 000002
【００３６】
【表２】
0004030704.tif 000003
【図面の簡単な説明】
【図１】吐出装置を備えた吐出容器の要部の概略断面図である。
【符号の説明】
１吐出容器
２容器本体
３トリガー
４ピストン
５シリンダー
【図１】
0004030704.tif 000004